(57)【特許請求の範囲】
【請求項１】
２４時間換気の換気プラン作成支援システムであり、
住宅の原間取り図をコンピュータに読み込む画像データ読込み手段と、
読み込まれた前記原間取り図を画面に画像間取り図として表示する画像手段と、
前記画像間取り図の範囲を指定すると共に、縦・横寸法を入力する入力手段と、
入力された前記縦・横寸法に基づいて前記画像間取り図の縦・横縮尺を設定する縮尺設定手段と、
前記画像間取り図の各部屋の面積と入力された部屋情報、通気の情報に基づいて必要換気量を求める換気量演算手段と、
前記必要換気量に応じて入力された換気部品を前記画像間取り図に配置する換気部品配置手段と、
前記換気部品間を結合するようにダクトを配置するダクト配置手段と、
選択された換気方式、前記ダクト、及び前記換気部品から圧力損失値を演算する圧力損失演算手段と、
前記圧力損失値を記憶する記憶手段と、
を備えたことを特徴とする換気プラン作成支援システム。
【請求項２】
前記画像手段は、前記画像間取り図に碁盤目状にグリット線を表示することを特徴とする請求項１に記載の換気プラン作成支援システム。
【請求項３】
前記原間取り図は、少なくとも第１原間取り図と第２原間取り図とを有しており、
前記画像手段に第１画像間取り図又は第２画像間取り図を表示させる画像選択手段とを備え、
前記第１画像間取り図と前記第２画像間取り図とを同一の縮尺設定にすることを特徴とする請求項２に記載の換気プラン作成支援システム。
【請求項４】
前記第１画像間取り図の少なくとも一部を前記第２画像間取り図に移動又は複写する手段を備えたことを特徴とする請求項３に記載の換気プラン作成支援システム。
【請求項５】
前記画像間取り図を拡大又は縮小して表示する主画面を有し、
前記主画面の端部に前記主画面よりも小さく前記画像間取り図の全体を副画面として表示する全体表示手段と、
前記副画面に表示された前記画像間取り図をマウス等により移動すると、前記主画面の前記画像間取り図も移動する第１リンク手段と、
を備えたことを特徴とする請求項１に記載の換気プラン作成支援システム。
【発明の詳細な説明】
【技術分野】
【０００１】
本発明は、換気プラン作成支援システムの改良に関するものである。
【背景技術】
【０００２】
従来の換気プラン作成支援システムは下記特許文献１に記載されているように、住宅間取り図をコンピュータに取込んで、表示画面に表示させた後、そこに表示された住宅間取り図の各部屋毎に、予め準備された設計設備プランマスタファイルに登録された電気設備の商品コードを選択的に割付けて入力することによって、選択された商品コードに相当する電気設備の品目、価格などの必要な項目を含んだ価格合計表、設計プラン見積書、注文書などの取引書類を自動的に作成するようにしたものである。
【０００３】
上記換気プラン作成支援システムによれば、コンピュータの表示画面を見ながら、次のような手順で必要な情報を入力するだけで、合計価格表、設計見積プラン、注文書などの取引書類が自動的に作成される。メニュー画面から施主ラベルの作成画面を選び、建築面積、施主の住所等を特定し、住宅間取図を画像データ読取手段によってコンピュータに取込むと、読み込まれた住宅間取図は表示画面に表示される。この状態で、住宅間取図に示された区分スペースに、部屋情報テーブルに記憶させた居間、寝室、和室、洋室などの部屋の機能、種別を入力する。
【０００４】
推奨すべき電気設備を列挙したリストが、住宅間取図の側方にウインドウ表示されるので、必要に応じて、このリストから電気設備を選択し、マウスなどで、電気設備の名称をクリックし、各部屋に割付けて入力する。このようにして、表示画面に表示された住宅間取り図の各部屋に対して、電気設備を割付けて入力して行けば、価格情報テーブルから選択された商品コードに応じた標準価格が順次読み取られ、取引書類作成テーブルに書き込まれたデータに書き込まれて、最後には所定様式の価格合計表、設計見積プランや注文書などが自動的に作成される。
【０００５】
【特許文献１】特開平８−６９４９７号公報
【発明の開示】
【発明が解決しようとする課題】
【０００６】
しかしながら、上記従来の換気プラン作成支援システムは、コンピュータに住宅間取り図を読み込み、画面上において、表示させた住宅間取り図の縮尺が取込んだ図面の大きさによって縮尺が決定されることになる。このため、住宅の必要な換気量を求めるには、部屋の面積等が必要となるために適当でないという課題があった。
【０００７】
本発明は、上記のような課題を解決するためになされたもので、コンピュータに取込んだ住宅間取り図の縮尺を簡易にできる換気プラン作成支援システムを提供することを目的とするものである。
【課題を解決するための手段】
【０００８】
本発明に係る換気プラン作成支援システムは、住宅の原間取り図をコンピュータに読み込む画像データ読込み手段と、読み込まれた前記原間取り図を画面に画像間取り図として表示する画像手段と、リビングなどの部屋情報、通気の情報を入力することにより必要換気量を求める換気量演算手段と、前記画像間取り図の範囲を指定すると共に、縦・横寸法を入力する入力手段と、入力値に基づいて前記画像間取り図の縮尺を設定する縮尺設定手段と、を備えたものである。
【発明の効果】
【０００９】
本発明によれば、簡易に原間取り図と同一の縮尺を、画像間取り図として得ることができる。
【発明を実施するための最良の形態】
【００１０】
本発明に係る換気プラン作成支援システムは、住宅の原間取り図をコンピュータに読み込む画像データ読込み手段と、読み込まれた原間取り図を画面に画像間取り図として表示する画像手段と、リビングなどの部屋情報、通気の情報を入力することにより必要換気量を求める換気量演算手段と、画像間取り図の範囲を指定すると共に、縦・横寸法を入力する入力手段と、入力値に基づいて画像間取り図の縮尺を設定する縮尺設定手段と、を備えている。
【００１１】
画像データ読込み手段が住宅の原間取り図をコンピュータに読み込み、画像手段が読み込まれた原間取り図を画面に画像間取り図として表示し、入力手段が画像間取り図の範囲を指定すると共に、縦・横寸法を入力すると、縮尺設定手段が入力値に基づいて画像間取り図の縮尺を設定する。これにより、原間取り図の縮尺と、取込んだ画像間取り図との縮尺とが一致する。一方、原間取り図の縮尺に合わせて図面を取込むと、縮尺設定が原間取り図の図面の縦又は横方向の収縮等によって、画像間取り図の縮尺がずれることがある。これに対して、本発明によれば、簡易に原間取り図と同一の縮尺を、画像間取り図として得ることができる。
【００１２】
実施の形態１．
本実施の形態を図１、図２、図５によって説明する。図１は一実施の形態による換気プラン作成支援システムの全体構成図、図２は図１に示すパソコンの内部ブロック図、図５は住宅の１階間取り図（ａ）、住宅の２階間取り図（ｂ）である。図１及び図２において、換気プラン作成支援システム１は、モニターの画面４を有するパーソナルコンピュータ（以下、パソコンという）３と、原間取り図としての住宅の間取り図１５をパソコン３に読み込む画像データ読込み手段としてのスキャナー７と、読み込んだ間取り図を画像データとして記憶する記憶部３１と、パソコン３に部屋情報などを入力するキーボード５、マウス６などから成る入力部と、種々のファイルを有するプランマスタファイル９と、作成された提案書類１３を記録紙に印字するためのプリンタ１１とを備えている。
【００１３】
住宅の間取り図１５は、図５に示すように二階建てで、第１間取り図としての１階用の住宅間取り図１５ａと第２間取り図としての２階用の住宅間取り図１５ｂとがある。
【００１４】
プランマスタファイル９には、写真を有する換気扇、ダクトなどが格納された換気商品ファイルと、部屋の種別などを格納された部屋情報テーブルと、換気量の演算式を格納した換気量演算ファイルと、圧力損失の演算式が格納された圧力損失演算ファイルと、提案書を作成する提案ファイルとを有している。
【００１５】
パソコン３は、図２に示すように、ＣＰＵ等を制御する制御部３０と、リビングなどの部屋情報、通気の情報を入力することにより必要換気量を求める換気量演算部３２と、読み込まれた間取り図の縮尺尺度を設定する縮尺設定部３３と、画面４に１階用の住宅間取り図１５ａ又は２階用の住宅間取り図１５ｂを画面４に画像間取り図１１５ａ，１１５ｂとして表示する画像選択部３５と、画像間取り図１１５ａ，１１５ｂを移動又は複写する移動・複写部３７と、画像間取り図１１５ａ，１１５ｂを拡大又は縮小する画像縮小・拡大部３９とを有しており、スキャナー７より読み込まれた１階、２階の画像取り図１１５ａ，１１５ｂをそれぞれ第１ウインドウ、第２ウインドウに表示すると共に、１階、２階の住宅間取り図１５ａ，１５ｂを同一の縮尺設定にしている。
【００１６】
パソコン３は、図２に示すように、主画面４ａに画像間取り図１１５ａ，１１５ｂの全体が表示されないことを検知する検知部４０と、図８に示すように、画像間取り図１１５ａ，１１５ｂの全体を主画面４ａの端部に主画面４ａよりも小さく全体図を副画面４ｃに表示する全体表示部４１と、該全体表示部４１により表示された画像間取り図１１５ａ，１１５ｂの全体をマウス６等により移動すると、主画面４ａの画像間取り図１１５ａ，１１５ｂも移動させ、さらに、検知部４０の検知結果に基づいて副画面４ｃに画像間取り図１１５ａ，１１５ｂを表示する第１・第２リンク部４３と、主画面４ａに表示された画像間取り図１１５ａ，１１５ｂに換気部品を配置する換気部品配置部４５と、画像間取り図１１５ａ，１１５ｂの中央部から外側に向かって引き出し線を引くと共に、換気部品の写真を表示する写真表示部４７と、換気部品間を結合するようにダクトを配置するダクト配置部５１と、換気方式を選択すると共に、ダクト、換気部品から圧力損失を演算する圧力損失演算部５３とを備えている。
【００１７】
本換気プラン作成支援システムの動作を図３に示すフローチャートに従い図４ないし図１０を参照して説明する。図４はパソコンの顧客情報登録の画面図、図５は住宅の１階間取り図（ａ）、住宅の２階間取り図（ｂ）、図６は住宅間取り図をパソコンに取込んで縮尺設定を示すパソコンの画面図、図７は画像間取り図に通気印を付したパソコンの画面図、図８は図画像間取り図を拡大したパソコンの画面図、図９は、画像間取り図にダクトを付したパソコンの画面図、図１０は画像間取り図に換気部品を付したパソコンの画面図である。
【００１８】
住宅の新築、改築を行うに際し、図４に示すようにパソコン３の画面４に顧客情報、即ち、邸名、隣接地区、機密性能、周波数等を登録して記憶部３１に記憶し（ステップＳ１０１）、図５に示す１階用の住宅間取図１５ａ、２階用の住宅間取り図１５ｂを、それぞれスキャナー７で読み込み記憶部３１に記憶し（ステップＳ１０３）、パソコン３の表示画面４に１階用の画像間取り図１１５ａを表示した状態で、マウス６により画像間取り図の範囲を指定した後、キーボード５から縦及び横寸法値を入力する（ステップＳ１０５）。これにより、取込んだ図面の縮尺と実際の間取りの縮尺とが一致する。さらに、図６に示すように、画面４に縮尺の基準となるグリット線（基準線）１１４を縦横に所定間隔で碁盤目状に表示される。上記グリット線１１４の間隔を変更することにより、該間隔に併せて、取込んだ図面を縮小又は拡大する（ステップＳ１０７）。アイコン１０４ｍには、部屋の名称を一覧表示させた部屋リスト、通気マークが表示されており、作業者はマウス６により部屋名及び通気の矢印マークのアイコン１０４ｍをドラックして移動してリリースすることにより入力し、天井高さを入力し、２４時間換気又は局所換気を選択入力して図７に示す画像間取り図ができる（ステップＳ１０９）。
【００１９】
上記ステップＳ１０３〜Ｓ１０９の作業を２階用の住宅間取図１５ｂについても実行し、１階の住宅間取り図１５ａの縮尺設定値と２階の住宅間取り図１５ｂとの縮尺設定値を同一にする。これにより、画像選択部３５はアイコン１０４ｍを選択して１階の画像間取り図１１５ａを画面４上に表示させた状態において、アイコン１０４ｍを選択して２階用の画像間取り図１１５ｂを画面４の表示を切換えできる。しかも、移動・複写部３７は１階の画像間取り図１１５ａ（２階の画像間取り図）の全部又は一部をマウス６によって範囲指定することにより２階の画像間取り図１１５ｂ（１階の画像間取り図）に移動・複写できる。
【００２０】
さらに、図８に示すように、画像縮小・拡大部３９は１階の画像間取り図１１５ａを拡大すると、主画面４ａ上から１階の画像間取り図１１５ａが欠けることになる。この際、画面上に設けられた全体イメージ釦を押すと、全体表示部４１は主画面４ａの右上端部に小さな枠内に形成された副画面４ｃに１階の画像間取り図１１５ａの全体が表示される。したがって、主画面４ａに１階の画像間取り図１１５ａの全体が表示されるので、作業性が良くなる。しかも、副画面４ｃに１階の画像間取り図１１５ａをマウス６で移動することにより、第１・第２リンク部４３が主画面４ａの１階の画像間取り図１１５ａも移動する。したがって、該移動を素早くできる。なお、上記において、主画面４ａ上から１階の画像間取り図１１５ａが欠けることになる。この際、検知部４０は１階の画像間取り図１１５ａが欠けたことを検知して、主画面４ａの右上端部に小さな枠内で形成された副画面４ｃに１階の画像間取り図１１５ａの全体を表示しても良い。
【００２１】
換気量演算部３２は必要な換気量を演算して演算値を記憶部３１に記憶すると共に、画面４に表示する（ステップＳ１１１）。次に、画面４で、第１種から第４種換気のうち何れか一つを選択すると共に、ダクト換気システム又はパイプファン換気システム等を選択した後（ステップＳ１１３）、換気部品配置部４５は換気扇、分岐チャンバー１６３、吹出し口１６１、室内端末１６５、室外端末１６４を選択して、図９に示すようにダクト配置部５１は第１から第４ダクト１５１ｄ〜１５４ｄを配管して配置図を作成し、圧力損失演算部５３は圧力損失を演算して記憶部３１に記憶すると共に、提案書を作成する（ステップＳ１１５）。ここで、第１ダクト１５１ｄの太さを変更（１２１ｄに）すると、圧力損失演算部５３は記憶部３１に記憶されたステップＳ１１１の記憶値に基づいて、第２ダクト１５２ｄ（１２２ｄ）などの圧力損失値も変更できる。そして、選択された換気扇等を写真にて表示させるには、画面４における写真表示のアイコン１０４ｍをマウス６によりクリックすると、写真表示部４７は、図１０に示すように外周に向って円状に個々の換気部品が個々の写真としてパイプ用ファンＡ等１７１〜１７６にて表示される。したがって、一つずつパイプ用ファンＡ等１７１〜１７６の換気部品を写真表示する手間が省ける。
【００２２】
画像手段は碁盤目状にグリット線と画像間取り図とを表示したので、画像間取り図の縮尺の確認がし易い。また、第１画像間取り図と第２画像間取り図とを同一の縮尺設定にしたので、画像選択手段は画像手段に第１画像間取り図又は第２画像間取り図を表示できる。したがって、第１画像間取り図を見ながら第２画像間取り図を確認することが容易にできる。そして、第１画像間取り図と第２画像間取り図との尺度が同一であるので、移動・複写手段により第１画像間取り図の少なくとも一部を第２画像間取り図に移動又は複写できる。さらに、第１リンク手段は副画面に表示された画像間取り図の全体をマウス等により移動すると、主画面の画像間取り図も移動するようにしたので、主画面の画像間取り図を適切な位置に配置し易い。また、検知手段が主画面に画像間取り図の全体が表示されないことを検知すると、第２リンク手段が該検知手段の検知結果に基づいて副画面に画像間取り図を表示したので、画像間取り図への換気部品の配置などが容易になる。そして、写真表示部は画像間取り図の中央部から外側に向かって引き出し線を引くと共に、換気部品の写真を一括して表示したので、換気部品を見やすく表示できる。圧力損失演算部は、ダクトを変更することにより改めて圧力損失を求めるので、ダクトの変更を簡易にできる。
【００２３】
上記実施の形態では、間取り図をスキャナー７によりパソコン３に読み込みをしたが、電子データ（ＤＸＦ形式など）の間取り図をパソコン３に読み込んでも良い。
【産業上の利用可能性】
【００２４】
本発明は、換気プラン作成支援システムに適用できる。
【図面の簡単な説明】
【００２５】
【図１】実施の形態による換気プラン作成支援システムの全体構成図である。（実施の形態１）
【図２】図１に示すパソコンの内部ブロック図である。（実施の形態１）
【図３】図１に示す換気プラン作成支援システムの工程を示すフローチャートである。（実施の形態１）
【図４】図１に示すパソコンの顧客情報登録の画面図である。（実施の形態１）
【図５】図１に示す住宅の１階間取り図（ａ）、住宅の２階間取り図（ｂ）である。（実施の形態１）
【図６】図２に示す住宅間取り図をパソコンに取込んで縮尺設定を示すパソコンの画面図である。（実施の形態１）
【図７】図６に示す住宅の１階の画像間取り図に通気印を付したパソコンの画面図である。（実施の形態１）
【図８】図６に示す画像間取り図を拡大したパソコンの画面図である。（実施の形態１）
【図９】図６に示す１階の画像間取り図にダクトを付したパソコンの画面図である。（実施の形態１）
【図１０】図６に示す１階の画像間取り図に換気部品を付したパソコンの画面図である。（実施の形態１）
【符号の説明】
【００２６】
３  パソコン、  ４  画面、  ５  キーボード、  ７  スキャナー、  ３１  記憶部、  ３２  換気量演算部、  ３３  縮尺設定部、  ３５  画像選択部、  ３７  移動・複写部、  ３９  画像縮小・拡大部、  ４１  全体表示部、  ４３  第１・第２リンク部、  ４５  換気部品配置部、  ４７  写真表示部、  ５１  ダクト配置部、  ５３  圧力損失演算部。
【図１】
0004758192.tif 000002
【図２】
0004758192.tif 000003
【図３】
0004758192.tif 000004
【図４】
0004758192.tif 000005
【図５】
0004758192.tif 000006
【図６】
0004758192.tif 000007
【図７】
0004758192.tif 000008
【図８】
0004758192.tif 000009
【図９】
0004758192.tif 000010
【図１０】
0004758192.tif 000011